(57)【特許請求の範囲】
【請求項１】
コンテンツを提供する利用者が使用する第１端末と通信を行う複製支援装置であって、
前記第１端末から前記利用者が保有するコンテンツのコンテンツリストを受信する受信手段と、
前記コンテンツリストを表示するコンテンツリスト表示手段と、
前記コンテンツリスト中の任意のコンテンツを指定するための外部入力を受け付ける第１入力受付手段と、
前記コンテンツリストから外部入力により指定された指定コンテンツの属性情報に基づき、当該指定コンテンツとの関連性を指定する項目からなるサブメニューを表示するサブメニュー表示手段と、
外部入力による前記項目の指定を受け付ける第２入力受付手段と、
指定された前記項目に基づき、前記指定コンテンツと関連するコンテンツを前記コンテンツリストから抽出する関連コンテンツ抽出手段と、
を備えることを特徴とする複製支援装置。
【請求項２】
前記関連コンテンツ抽出手段が抽出したコンテンツのリストである関連コンテンツリストを表示する関連コンテンツリスト表示手段と、
外部入力に基づき前記関連コンテンツリストから指定されたコンテンツの複製制御を実行する複製制御実行手段と、
をさらに備えることを特徴とする請求項１に記載の複製支援装置。
【請求項３】
コンテンツの提供を受ける利用者が使用する第２端末と通信を行い、
前記受信手段は、前記第２端末のコンテンツリストを受信し、
前記コンテンツリスト表示手段は、前記第２端末のコンテンツリストを表示し、
前記複製制御実行手段は、外部入力に基づき前記関連コンテンツリストから前記第２端末のコンテンツリストへ移動したコンテンツの複製制御を実行することを特徴とする請求項２に記載の複製支援装置。
【請求項４】
前記属性情報は、コンテンツが本来有している第１属性、及び、利用者の行為に起因して発生する第２属性を含むことを特徴とする請求項１乃至３のいずれか一項に記載の複製支援装置。
【請求項５】
前記サブメニュー表示手段は、前記指定コンテンツの属性情報に基づき、前記第１端末の利用者と前記第２端末の利用者との共通性を示す項目からなるサブメニューを表示することを特徴とする請求項３に記載の複製支援装置。
【請求項６】
指定された番組の録画を行う番組記録装置へ録画指示信号を送信する端末装置であって、
番組の識別名及び当該番組の属性情報からなる番組情報を電磁的な方法により取得する番組情報取得手段と、
前記番組情報に基づき番組のリストを表示する番組リスト表示手段と、
前記リスト中の任意の番組を指定するための外部入力を受け付ける第１入力受付手段と、
前記リストから外部入力により指定された指定番組の属性情報に基づき、当該指定番組との関連性を指定する項目からなるサブメニューを表示するサブメニュー表示手段と、
外部入力による前記項目の指定を受け付ける第２入力受付手段と、
指定された前記項目に基づき、前記指定番組と関連する番組を前記リストから抽出する関連番組抽出手段と、
を備えることを特徴とする端末装置。
【請求項７】
前記関連番組抽出手段が抽出した番組のリストである関連番組リストを表示する関連番組リスト表示手段と、
外部入力に基づき前記関連番組リストから指定された番組の録画指示信号を前記番組記録装置へ送信する番組予約通知手段と、
をさらに備えることを特徴とする請求項６に記載の端末装置。
【請求項８】
コンテンツを提供する利用者が使用する第１端末と通信を行う複製支援装置により実行される複製支援方法であって、
前記第１端末から前記利用者が保有するコンテンツのコンテンツリストを受信する受信工程と、
前記コンテンツリストを表示するコンテンツリスト表示工程と、
前記コンテンツリスト中の任意のコンテンツを指定するための外部入力を受け付ける第１入力受付工程と、
前記コンテンツリストから外部入力により指定された指定コンテンツの属性情報に基づき、当該指定コンテンツとの関連性を指定する項目からなるサブメニューを表示するサブメニュー表示工程と、
外部入力による前記項目の指定を受け付ける第２入力受付工程と、
指定された前記項目に基づき、前記指定コンテンツと関連するコンテンツを前記コンテンツリストから抽出する関連コンテンツ抽出工程と、
を備えることを特徴とする複製支援方法。
【請求項９】
コンテンツを提供する利用者が使用する第１端末と通信を行うコンピュータにより実行される複製支援プログラムであって、
前記第１端末から前記利用者が保有するコンテンツのコンテンツリストを受信する受信手段と、
前記コンテンツリストを表示するコンテンツリスト表示手段と、
前記コンテンツリスト中の任意のコンテンツを指定するための外部入力を受け付ける第１入力受付手段と、
前記コンテンツリストから外部入力により指定された指定コンテンツの属性情報に基づき、当該指定コンテンツとの関連性を指定する項目からなるサブメニューを表示するサブメニュー表示手段と、
外部入力による前記項目の指定を受け付ける第２入力受付手段と、
指定された前記項目に基づき、前記指定コンテンツと関連するコンテンツを前記コンテンツリストから抽出する関連コンテンツ抽出手段
として前記コンピュータを機能させることを特徴とする複製支援プログラム。
【請求項１０】
請求項９に記載のプログラムを記憶したことを特徴とする記憶媒体。
【発明の詳細な説明】
【技術分野】
【０００１】
本発明は、複製するデータの選択を容易にする技術に関する。
【背景技術】
【０００２】
従来から、異なる機器間で各機器が保有する画像などのコンテンツを複製する方法が公知である。例えば、特許文献１には、異なる装置間での画像の移動及び複製を容易な操作により実現する情報処理装置が開示されている。その他、本発明に関連する技術が、特許文献２に開示されている。
【先行技術文献】
【特許文献】
【０００３】
【特許文献１】特開２００１−１５６９８３号公報
【特許文献２】特開２００５−０３２０２１号公報
【発明の概要】
【発明が解決しようとする課題】
【０００４】
一般に、写真、映像などのコンテンツを他の装置からコピーする場合、１のコンテンツのみではなく所定の観点に従って関連した複数のコンテンツを同時にコピーしたい場合がある。このとき、コピー操作を簡略化するにするには、ユーザが意図する関連性に従って関連するコンテンツをユーザに提示する必要がある。特許文献１乃至特許文献２には、上記の問題は、何ら検討されていない。
【０００５】
本発明は、上記のような課題を解決するためになされたものであり、コンテンツの属性情報を利用することで、コンテンツの複製操作を容易にすることが可能な複製支援装置を提供することを目的とする。
【課題を解決するための手段】
【０００６】
請求項１に記載の発明は、コンテンツを提供する利用者が使用する第１端末と通信を行う複製支援装置であって、前記第１端末から前記利用者が保有するコンテンツのコンテンツリストを受信する受信手段と、前記コンテンツリストを表示するコンテンツリスト表示手段と、前記コンテンツリスト中の任意のコンテンツを指定するための外部入力を受け付ける第１入力受付手段と、前記コンテンツリストから外部入力により指定された指定コンテンツの属性情報に基づき、当該指定コンテンツとの関連性を指定する項目からなるサブメニューを表示するサブメニュー表示手段と、外部入力による前記項目の指定を受け付ける第２入力受付手段と、指定された前記項目に基づき、前記指定コンテンツと関連するコンテンツを前記コンテンツリストから抽出する関連コンテンツ抽出手段と、を備えることを特徴とする。【０００７】
請求項６に記載の発明は、指定された番組の録画を行う番組記録装置へ録画指示信号を送信する端末装置であって、番組の識別名及び当該番組の属性情報からなる番組情報を電磁的な方法により取得する番組情報取得手段と、前記番組情報に基づき番組のリストを表示する番組リスト表示手段と、前記リスト中の任意の番組を指定するための外部入力を受け付ける第１入力受付手段と、前記リストから外部入力により指定された指定番組の属性情報に基づき、当該指定番組との関連性を指定する項目からなるサブメニューを表示するサブメニュー表示手段と、外部入力による前記項目の指定を受け付ける第２入力受付手段と、指定された前記項目に基づき、前記指定番組と関連する番組を前記リストから抽出する関連番組抽出手段と、を備えることを特徴とするを特徴とする。【０００８】
請求項８に記載の発明は、コンテンツを提供する利用者が使用する第１端末と通信を行う複製支援装置により実行される複製支援方法であって、前記第１端末から前記利用者が保有するコンテンツのコンテンツリストを受信する受信工程と、前記コンテンツリストを表示するコンテンツリスト表示工程と、前記コンテンツリスト中の任意のコンテンツを指定するための外部入力を受け付ける第１入力受付工程と、前記コンテンツリストから外部入力により指定された指定コンテンツの属性情報に基づき、当該指定コンテンツとの関連性を指定する項目からなるサブメニューを表示するサブメニュー表示工程と、外部入力による前記項目の指定を受け付ける第２入力受付工程と、指定された前記項目に基づき、前記指定コンテンツと関連するコンテンツを前記コンテンツリストから抽出する関連コンテンツ抽出工程と、を備えることを特徴とする。【０００９】
請求項９に記載の発明は、コンテンツを提供する利用者が使用する第１端末と通信を行うコンピュータにより実行される複製支援プログラムであって、前記第１端末から前記利用者が保有するコンテンツのコンテンツリストを受信する受信手段と、前記コンテンツリストを表示するコンテンツリスト表示手段と、前記コンテンツリスト中の任意のコンテンツを指定するための外部入力を受け付ける第１入力受付手段と、前記コンテンツリストから外部入力により指定された指定コンテンツの属性情報に基づき、当該指定コンテンツとの関連性を指定する項目からなるサブメニューを表示するサブメニュー表示手段と、外部入力による前記項目の指定を受け付ける第２入力受付手段と、指定された前記項目に基づき、前記指定コンテンツと関連するコンテンツを前記コンテンツリストから抽出する関連コンテンツ抽出手段として前記コンピュータを機能させることを特徴とする。
【図面の簡単な説明】
【００１０】
【図１】第１実施例に係るコンテンツ複製システムの概略構成の一例である。
【図２】ナビゲーション装置の概略構成の一例である。
【図３】第１端末及び第２端末の概略構成の一例である。
【図４】第１の例でコンテンツリストからコンテンツを選択した際にナビゲーション装置が出力する表示画面の一例及びその際に表示されるサブメニューの一例である。
【図５】選択項目Ｓｉが指定された際のナビゲーション装置の表示画面の一例である。
【図６】第２の例でコンテンツリストからコンテンツを選択した際にナビゲーション装置が出力する表示画面の一例及びその際に表示されるサブメニューの一例である。
【図７】指定されたコンテンツの複製を実行するシーケンス図の一例である。
【図８】第１実施例に係る処理手順を表すフローチャートの一例である。
【図９】変形例１に係るコンテンツ複製システムの概略構成の一例である。
【図１０】第２実施例に係る番組予約システムの概略構成の一例である。
【図１１】第２実施例で第３端末が出力する表示画面の一例である。
【発明を実施するための形態】
【００１１】
本発明の１つの観点では、コンテンツを提供する利用者が使用する第１端末と通信を行う複製支援装置であって、前記第１端末から前記利用者が保有するコンテンツのコンテンツリストを受信する受信手段と、前記コンテンツリストを表示するコンテンツリスト表示手段と、前記コンテンツリスト中の任意のコンテンツを指定するための外部入力を受け付ける第１入力受付手段と、前記コンテンツリストから外部入力により指定された指定コンテンツの属性情報に基づき、当該指定コンテンツとの関連性を指定する項目からなるサブメニューを表示するサブメニュー表示手段と、外部入力による前記項目の指定を受け付ける第２入力受付手段と、指定された前記項目に基づき、前記指定コンテンツと関連するコンテンツを前記コンテンツリストから抽出する関連コンテンツ抽出手段と、を備える。
【００１２】
上記の複製支援装置は、例えばナビゲーション装置であり、受信手段と、コンテンツリスト表示手段と、第１入力受付手段と、サブメニュー表示手段と、第２入力受付手段と、関連コンテンツ抽出手段と、を備える。受信手段は、第１端末からコンテンツの識別名等からなるコンテンツリストを受信する。コンテンツリスト表示手段は、コンテンツリストを表示する。第１入力受付手段は、タッチパネル方式等により、コンテンツリスト中の任意のコンテンツを指定するための外部入力を受け付ける。ここで「外部入力」とは、利用者等の操作に基づく入力を指す。サブメニュー表示手段は、コンテンツリストから外部入力により指定された指定コンテンツの属性情報に基づき、当該指定コンテンツとの関連性を指定する項目からなるサブメニューを表示する。ここで、「属性情報」は、タイトル名、録音時間等のコンテンツが本来備える属性の他、利用者の行為に起因して発生する再生日時や再生場所などの属性を含む。属性情報は、コンテンツに一体として付属している情報、または、第１端末又は複製支援装置により利用者の入力に基づき生成される情報、若しくは再生時等に第１端末又は複製支援装置がコンテンツを解析等することにより生成する情報であってもよい。第２入力受付手段は、外部入力によるサブメニューの項目の指定を受け付ける。関連コンテンツ抽出手段は、指定された項目に基づき、指定コンテンツと関連するコンテンツをコンテンツリストから抽出する。即ち、関連コンテンツ抽出手段は、指定コンテンツと、指定された項目の観点で関連性を有するコンテンツをコンテンツリストから抽出する。ここで、「抽出する」とは、必ずしも該当するコンテンツのデータ自体を抽出することではなく、コンテンツリストから該当するコンテンツの識別名等を特定、選定するまでの工程を指す。そして、その後、複製支援装置は、抽出したコンテンツの複製を行ってもよく、又は、さらに利用者に抽出したコンテンツから複製するコンテンツを指定させてもよい。このように、複製支援装置は、サブメニューを表示して利用者に項目を指定させることで、利用者が指定した関連性に基づき関連するコンテンツを適切に抽出することができる。従って、利用者の複製操作を容易にし、ユーザビリティを向上させることができる。
【００１３】
上記の複製支援装置の一態様では、複製支援装置は、前記関連コンテンツ抽出手段が抽出したコンテンツのリストである関連コンテンツリストを表示する関連コンテンツリスト表示手段と、外部入力に基づき前記関連コンテンツリストから指定されたコンテンツの複製制御を実行する複製制御実行手段と、をさらに備える。このようにすることで、複製支援装置は、利用者の複製操作を容易にさせ、利用者の意図に適ったコンテンツの複製を迅速に実行することができる。
【００１４】
上記の複製支援装置の他の一態様では、コンテンツの提供を受ける利用者が使用する第２端末と通信を行い、前記受信手段は、前記第２端末のコンテンツリストを受信し、前記コンテンツリスト表示手段は、前記第２端末のコンテンツリストを表示し、前記複製制御実行手段は、外部入力に基づき前記関連コンテンツリストから前記第２端末のコンテンツリストへ移動したコンテンツの複製制御を実行する。このようにすることで、複製支援装置は、第１端末の利用者と第２端末の利用者との間での複製したコンテンツの譲渡を容易に実現することができる。
【００１５】
上記の複製支援装置の他の一態様では、前記属性情報は、コンテンツが本来有している第１属性、又は／及び、利用者の行為に起因して発生する第２属性を含む。例えば、第１属性は、楽曲等の場合には、当該コンテンツが収録されたアルバムのタイトル、実演するアーティスト、ジャンル、曲調などが該当し、個人撮影した写真等の場合には、被写体人物、撮影者等が該当する。そして、第２属性は、例えば、利用者の行為に起因して特定される再生日時、再生場所、再生時の走行ルート等が該当する。このような属性情報は、例えば、コンテンツに一体として付属している情報であってもよく、上述したように、複製支援装置、第１又は／及び第２端末等が検出、解析した情報、又は利用者により手動で入力された情報であってもよい。このように、第１属性又は／及び第２属性を利用することで、複製支援装置は、より利用者の意図に即した関連コンテンツを抽出することができる。
【００１６】
上記の複製支援装置の他の一態様では、サブメニュー表示手段は、前記指定コンテンツの属性情報に基づき、前記第１端末の利用者と前記第２端末の利用者との共通性を示す項目からなるサブメニューを表示する。ここで、「共通性を示す項目」とは、例えば、「共通のお好みアーティスト」、「共通のお好みジャンル」「一緒に写っているコンテンツ」などの所定の共通性を特定する項目を指す。このようにすることで、複製支援装置は、より柔軟に利用者が意図したコンテンツを抽出することができ、ユーザビリティを向上させることができる。
【００１７】
なお上記の例において、第１端末や第２端末にコンテンツが記録されている必要は必ずしもなく、当該第１端末や第２端末がアクセス可能なコンテンツであればよい。具体的には、第１端末や第２端末がアクセス可能なネットワークに接続されたサーバなどのストレージデバイスに当該コンテンツが保持されていてもよい。
【００１８】
本発明の他の観点では、指定された番組の録画を行う番組記録装置へ録画指示信号を送信する端末装置であって、番組の識別名及び当該番組の属性情報からなる番組情報を電磁的な方法により取得する番組情報取得手段と、前記番組情報に基づき番組のリストを表示する番組リスト表示手段と、前記リスト中の任意の番組を指定するための外部入力を受け付ける第１入力受付手段と、前記リストから外部入力により指定された指定番組の属性情報に基づき、当該指定番組との関連性を指定する項目からなるサブメニューを表示するサブメニュー表示手段と、外部入力による前記項目の指定を受け付ける第２入力受付手段と、指定された前記項目に基づき、前記指定番組と関連する番組を前記リストから抽出する関連番組抽出手段と、を備える。
【００１９】
上記の端末装置は、指定された番組の録画を行う番組記録装置へ録画指示信号を送信する端末装置であって、番組情報取得手段と、番組リスト表示手段と、第１入力受付手段と、サブメニュー表示手段と、第２入力受付手段と、関連番組抽出手段と、を備える。番組情報取得手段は、番組の識別名及び当該番組の属性情報からなる番組情報を電磁的な方法、例えば放送やインターネットにより取得する。番組リスト表示手段は、番組情報に基づき番組のリスト、即ち番組表を表示する。第１入力受付手段は、リスト中の任意の番組を指定するための外部入力を受け付ける。サブメニュー表示手段は、リストから外部入力により指定された指定番組の属性情報に基づき、当該指定番組との関連性を指定する項目からなるサブメニューを表示する。ここで、属性情報は、例えば、番組のジャンル、番組の実演者等の番組の付属情報が該当する。なお、属性情報は、番組情報取得手段により取得した番組情報の他、端末装置がインターネット等で自動検索した結果等を含んでもよい。第２入力受付手段は、外部入力によるサブメニュー中の項目の指定を受け付ける。関連番組抽出手段は、指定された項目に基づき、指定番組と関連する番組をリストから抽出する。その後、端末装置は、抽出した番組の全部または利用者がさらに抽出した場合はその抽出後の番組の録画指示信号を番組記録装置へ送信する。このようにすることで、端末装置は、利用者が意図する関連番組を抽出し、番組予約の操作を容易にすることができる。
【００２０】
上記の端末装置の一態様では、前記関連番組抽出手段が抽出した番組のリストである関連番組リストを表示する関連番組リスト表示手段と、外部入力に基づき前記関連番組リストから指定された番組の録画指示信号を前記番組記録装置へ送信する番組予約通知手段と、をさらに備える。このように、端末装置は、利用者が意図する番組リストを提示し選択させることで、番組予約の操作を容易にかつ的確に実行させることができる。
【００２１】
本発明のさらに別の観点では、コンテンツを提供する利用者が使用する第１端末と通信を行う複製支援装置により実行される複製支援方法であって、前記第１端末から前記利用者が保有するコンテンツのコンテンツリストを受信する受信工程と、前記コンテンツリストを表示するコンテンツリスト表示工程と、前記コンテンツリスト中の任意のコンテンツを指定するための外部入力を受け付ける第１入力受付工程と、前記コンテンツリストから外部入力により指定された指定コンテンツの属性情報に基づき、当該指定コンテンツとの関連性を指定する項目からなるサブメニューを表示するサブメニュー表示工程と、外部入力による前記項目の指定を受け付ける第２入力受付工程と、指定された前記項目に基づき、前記指定コンテンツと関連するコンテンツを前記コンテンツリストから抽出する関連コンテンツ抽出工程と、を備える。複製支援装置は、この方法を使用することにより、利用者が意図する関連コンテンツを抽出し、複製操作を容易にすることができる。
【００２２】
本発明のさらに別の観点では、コンテンツを提供する利用者が使用する第１端末と通信を行うコンピュータにより実行される複製支援プログラムであって、前記第１端末から前記利用者が保有するコンテンツのコンテンツリストを受信する受信手段と、前記コンテンツリストを表示するコンテンツリスト表示手段と、前記コンテンツリスト中の任意のコンテンツを指定するための外部入力を受け付ける第１入力受付手段と、前記コンテンツリストから外部入力により指定された指定コンテンツの属性情報に基づき、当該指定コンテンツとの関連性を指定する項目からなるサブメニューを表示するサブメニュー表示手段と、外部入力による前記項目の指定を受け付ける第２入力受付手段と、指定された前記項目に基づき、前記指定コンテンツと関連するコンテンツを前記コンテンツリストから抽出する関連コンテンツ抽出手段と、を備える。複製支援装置は、このプログラムを搭載することにより、利用者が意図する関連コンテンツを抽出し、複製操作を容易にすることができる。なお、好適な例では、上記のプログラムは、記憶媒体に記憶される。
【実施例】
【００２３】
以下、図面を参照して本発明の好適な各実施例について説明する。【００２４】
［第１実施例］
本発明の第１実施例に係るコンテンツ複製システムについて説明する。以下では、まず、第１実施例に係るシステムの概略構成について述べた後、当該システムの構成要素となるナビゲーション装置並びに第１及び第２端末の概略構成、コンテンツの選択支援方法、複製したコンテンツの伝送例及び処理フローについて順に説明する。その後、第１実施例に係る各変形例についてさらに説明する。【００２５】
また、ここで「コンテンツ」は、映画、音楽、演劇、文芸、写真、漫画、アニメーション、コンピュータゲームを含む。また、コンテンツは、その他の文字、図形、色彩、音声、動作若しくは映像若しくはこれらを組み合わせたもの又はこれらに係る情報を、電子計算機を介して提供するためのプログラムも含む。【００２６】
（システムの概略構成）
図１は、第１実施例に係るコンテンツ複製システムの概略構成の一例である。コンテンツ複製システムは、ナビゲーション装置１と、第１端末１００と、第１サーバ１５０と、第２端末２００と、第２サーバ２５０と、通信網３００と、を備える。【００２７】
ナビゲーション装置１は、車両などの移動体に搭載され、全地球測位システム（ＧＰＳ：Ｇｌｏｂａｌ  Ｐｏｓｉｔｉｏｎｉｎｇ  Ｓｙｓｔｅｍ）や車速パルス、ジャイロなどの自律航法装置を利用し、移動体の運行時に、運転者に対してディスプレイ画面上に地図表示、目的地への走行経路案内などを行なう装置である。【００２８】
さらに、ナビゲーション装置１は、第１端末１００及び第２端末２００と近距離で無線通信を行う。具体的には、ナビゲーション装置１は、第１端末１００が備えるコンテンツリスト（以後、「コンテンツリストＣＬ１」と呼ぶ。）を受信すると共に、第２端末２００が備えるコンテンツリスト（以後、「コンテンツリストＣＬ２」と呼ぶ。）を受信する。さらに、ナビゲーション装置１は、第１端末１００及び第２端末２００から、コンテンツリストＣＬ１、ＣＬ２を構成する各コンテンツの属性情報（以後、「属性情報Ｉｓ」と呼ぶ。）を受信する。属性情報Ｉｓは、後述するように、コンテンツの種類や実演者等のコンテンツが本来的に備える属性（以後、「第１属性Ｉｓ１」と呼ぶ。）と、再生日や再生場所などの利用者の行為に起因して発生した属性（以後、「第２属性Ｉｓ２」と呼ぶ。）とに分類される。なお、ナビゲーション装置１は、後述するように、属性情報Ｉｓを自ら生成することも可能である。【００２９】
また、ナビゲーション装置１は、無線により通信網３００へアクセスし、通信網３００に接続された第１サーバ１５０及び第２サーバ２５０と通信を行う。具体的には、ナビゲーション装置１は、第１サーバ１５０又は第２サーバ２５０が備えるコンテンツをダウンロード再生又はストリーミング再生する。また、ナビゲーション装置１は、第１端末１００の利用者（以後、「利用者Ａ」と呼ぶ。）又は第２端末２００の利用者（以後、「利用者Ｂ」と呼ぶ。）の操作に基づき、第１サーバ１５０が保有するコンテンツの複製を第２サーバ２５０へ供給するように制御したり、第２サーバ２５０が保有するコンテンツの複製を、第１サーバ１５０へ供給するように制御する。通信網３００は、例えば、インターネットなどの公衆網や閉域網などの通信網である。【００３０】
第１端末１００は、ナビゲーション装置１と通信可能に構成され、第１サーバ１５０が記憶するコンテンツのコンテンツリストＣＬ１及びこれに対応する属性情報Ｉｓを保持する。コンテンツリストＣＬ１は、例えば、第１サーバ１５０に記憶されるコンテンツのうち、第１端末１００の利用者Ａが他人にその複製を譲渡する権利を保有するコンテンツの一覧（リスト）である。【００３１】
第１サーバ１５０は、通信網３００を介して他の装置と通信可能に構成され、コンテンツリストＣＬ１に対応するコンテンツを記憶する。第１サーバ１５０は、ナビゲーション装置１の制御に基づき、第２サーバ２５０へコンテンツを供給する。【００３２】
第２端末２００は、ナビゲーション装置１と通信可能に構成され、第２サーバ２５０が記憶するコンテンツのコンテンツリストＣＬ２及びこれに対応する属性情報Ｉｓを保持する。コンテンツリストＣＬ２は、例えば、第２サーバ２５０に記憶されるコンテンツのうち、第２端末２００の利用者Ｂが他人にその複製を譲渡する権利を保有するコンテンツの一覧である。【００３３】
第２サーバ２５０は、通信網３００を介して他の装置と通信可能に構成され、コンテンツリストＣＬ２に対応するコンテンツを記憶する。第２サーバ２５０は、ナビゲーション装置１の制御に基づき、第１サーバ１５０へコンテンツを供給する。【００３４】
（ナビゲーション装置の概略構成）
次に、図２を参照し、ナビゲーション装置１の構成について説明する。【００３５】
図２は、ナビゲーション装置１の概略構成の一例である。ナビゲーション装置１は、ＵＩ（Ｕｓｅｒ  Ｉｎｔｅｒｆａｃｅ）部２と、ユーザ操作解析部３と、属性情報管理部４と、近距離無線通信部５と、接続ユーザ管理部６と、広域無線通信部７と、コンテンツ再生部８と、ナビ機能部９と、主制御部１０と、表示部１１とを備える。【００３６】
ＵＩ部２は、利用者Ａ又は利用者Ｂその他ナビゲーション装置１が搭載された移動体の乗員等（単に「ユーザ」とも呼ぶ。）の入力を受け付けるインタフェースである。ＵＩ部２は、例えば、手入力を受け付けるタッチパネル、リモコン、ボタン、音声入力を受け付けるマイク等が該当する。特に本発明では、ユーザは、必要に応じてコンテンツに意図的に属性情報Ｉｓを付したい場合に、ＵＩ部２を介して所定の入力を行う。【００３７】
ユーザ操作解析部３は、ＵＩ部２を介して入力された情報を解析する。そして、ユーザ操作解析部３は、その解析結果を属性情報管理部４へ供給する。【００３８】
属性情報管理部４は、属性情報Ｉｓを管理する。具体的には、属性情報管理部４は、ユーザ操作解析部３、接続ユーザ管理部６、コンテンツ再生部８、及びナビ機能部９から供給される情報に基づき、属性情報Ｉｓを生成し、記憶する。このとき、属性情報Ｉｓは、対応するコンテンツの識別情報又は当該コンテンツへアクセスするためのリンク情報等と関連付けられて記憶される。【００３９】
近距離無線通信部５は、所定の通信方式に従い、第１端末１００及び第２端末２００と近距離での無線通信を行う。上述の通信方式は、例えば、Ｂｌｕｅｔｏｏｔｈ（登録商標）などが該当する。広域無線通信部７は、通信網３００へ無線によりアクセスし、通信網３００に接続された装置（端末）と通信を行う。【００４０】
接続ユーザ管理部６は、近距離無線通信部５により通信中の端末を特定し、そのユーザ情報を管理する。具体的には、接続ユーザ管理部６は、近距離無線通信中の端末及びその利用者を特定することで、例えば再生中のコンテンツが誰に視聴されたか把握し、その情報を属性情報管理部４へ供給する。同様に、接続ユーザ管理部６は、広域無線通信部５により通信中の他の装置の利用者情報または伝送中のコンテンツの保有者の情報等を、属性情報管理部４へ供給する。【００４１】
コンテンツ再生部８は、広域無線通信部７より供給されるコンテンツをデコードして再生する。再生されたコンテンツは、表示部１１又は／及び図示しないスピーカ等により出力される。コンテンツ再生部８は、再生中のコンテンツに関する情報や再生時刻に関する情報等を属性情報管理部４へ供給する。また、例えば、コンテンツ再生部８は、広域無線通信部７から供給されたコンテンツが音楽コンテンツの場合には、当該コンテンツの曲調（明るい曲調であるか等）を解析し、その解析結果を属性情報管理部４へ供給する。【００４２】
ナビ機能部９は、ＧＰＳや車速パルス、ジャイロなどの自律航法装置を利用し、移動体の運行時に、運転者に対して表示部１１上に目的地への走行経路案内を行なう。そして、ナビ機能部９は、移動体の現在位置や走行経路等に関する情報を属性情報管理部４へ供給する。例えば、コンテンツの再生時には、属性情報管理部４は、供給された現在位置や走行経路等の情報を当該コンテンツの識別名等と関連付けて属性情報Ｉｓとして管理する。【００４３】
主制御部１０は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、ナビゲーション装置１内の各構成要素に対して種々の制御を行う。【００４４】
表示部１１は、移動体の経路情報やコンテンツの映像等を表示するディスプレイ（モニタ）である。【００４５】
（第１端末及び第２端末の概略構成）
次に、第１端末１００及び第２端末２００の構成について図３を用いて説明する。図３（ａ）は、第１端末１００の概略構成図を示し、図３（ｂ）は、第２端末２００の概略構成図を示す。第１端末１００は、ＵＩ部１０２と、ユーザ操作解析部１０３と、属性情報管理部１０４と、近距離無線通信部１０５と、接続ユーザ管理部１０６と、広域無線通信部１０７と、コンテンツ再生部１０８と、ＧＰＳ機能部１０９と、主制御部１１０と、表示部１１１と、を備える。第２端末２００は、ＵＩ部２０２と、ユーザ操作解析部２０３と、属性情報管理部２０４と、近距離無線通信部２０５と、接続ユーザ管理部２０６と、広域無線通信部２０７と、コンテンツ再生部２０８と、ＧＰＳ機能部２０９と、主制御部２１０と、表示部２１１と、を備える。なお、第１端末１００の構成要素と第２端末２００の構成要素とは一致するため、以下では両構成の各要素について並行して説明する。【００４６】
ＵＩ部１０２、２０２は、ユーザの入力を受け付けるインタフェースである。ＵＩ部１０２、２０２は、例えば、手入力を受け付けるタッチパネル、リモコン、ボタン、音声入力を受け付けるマイク等が該当する。特に本発明では、ユーザは、必要に応じてコンテンツリストＣＬ１、ＣＬ２中のコンテンツに属性情報Ｉｓを付したい場合に、ＵＩ部１０２、２０２を介して所定の入力を行う。【００４７】
ユーザ操作解析部１０３、２０３は、それぞれＵＩ部１０２、２０２を介して入力された情報を解析する。そして、ユーザ操作解析部１０３、２０３は、その解析結果を属性情報管理部１０４、２０４へ供給する。【００４８】
属性情報管理部１０４、２０４は、属性情報Ｉｓを管理する。具体的には、属性情報管理部１０４、２０４は、ユーザ操作解析部１０３、２０３、接続ユーザ管理部１０６、２０６、コンテンツ再生部１０８、２０８、及びＧＰＳ機能部１０９、２０９から供給される情報に基づき、属性情報Ｉｓを生成し、記憶する。このとき、属性情報Ｉｓは、対応するコンテンツの識別情報又は当該コンテンツへアクセスするためのリンク情報等と関連付けられて記憶される。【００４９】
近距離無線通信部１０５、２０５は、所定の通信方式に従い、それぞれナビゲーション装置１と近距離での無線通信を行う。上述の通信方式は、例えば、Ｂｌｕｅｔｏｏｔｈなどが該当する。広域無線通信部１０７、２０７は、通信網３００へ無線によりアクセスし、通信網３００に接続された装置（端末）と通信を行う。【００５０】
接続ユーザ管理部１０６、２０６は、それぞれ近距離無線通信部１０５、２０５により通信中の端末を特定し、そのユーザ情報を管理する。具体的には、接続ユーザ管理部１０６、２０６は、近距離による無線通信中の端末及びその利用者を特定することで、例えば再生中のコンテンツが誰に視聴されたか把握し、その情報をそれぞれ属性情報管理部１０４、２０４へ供給する。同様に、接続ユーザ管理部１０６、２０６は、それぞれ広域無線通信部１０５、２０５により通信中の他の装置の利用者情報または伝送中のコンテンツの保有者の情報等を、属性情報管理部１０４、２０４へ供給する。【００５１】
コンテンツ再生部１０８、２０８は、それぞれ広域無線通信部１０７、２０７より供給されるコンテンツをデコードして再生する。再生されたコンテンツは、それぞれ表示部１１１、２１１又は／及び図示しないスピーカ等により出力される。コンテンツ再生部１０８、２０８は、再生中のコンテンツに関する情報や再生時刻に関する情報等を、それぞれ属性情報管理部１０４、２０４へ供給する。また、例えば、コンテンツ再生部１０８、２０８は、それぞれ広域無線通信部１０７、２０７から供給されたコンテンツが音楽コンテンツの場合には、当該コンテンツの曲調（明るい曲調であるか等）を解析し、その解析結果をそれぞれ属性情報管理部１０４、２０４へ供給する。【００５２】
ＧＰＳ機能部１０９、２０９は、ＧＰＳを備え、それぞれ第１端末１００、第２端末２００の現在位置を特定する。そして、ＧＰＳ機能部１０９、２０９は、特定した現在位置の情報をそれぞれ属性情報管理部１０４、２０４へ供給する。【００５３】
主制御部１１０、２１０は、それぞれ図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、それぞれ第１端末１００、第２端末２００内の各構成要素に対して種々の制御を行う。【００５４】
表示部１１１、２１１は、それぞれ第１端末１００、第２端末２００から出力される映像又は画像を表示する。【００５５】
（コンテンツの選択支援方法）
次に、本発明の第１実施例に係るコンテンツの選択支援方法について具体的に説明する。第１実施例は、ナビゲーション装置１の表示部１１に表示されたコンテンツリストＣＬ１から任意のコンテンツをユーザ（主に、利用者Ｂ）に選択させることで、利用者Ａから利用者Ｂへ当該コンテンツの複製を譲渡する処理について説明したものである。【００５６】
概略的には、ナビゲーション装置１は、最初にユーザがコンテンツリストＣＬ１から選択したコンテンツ（以後、「コンテンツＡｓ」と呼ぶ。）との関連性を指定する項目からなるリスト（以後、「サブメニューＳＬ」と呼ぶ。）を表示する。そして、ナビゲーション装置１は、サブメニューＳＬからユーザが選択した項目（以後、「選択項目Ｓｉ」と呼ぶ。）に関連するコンテンツをコンテンツリストＣＬ１から抽出し、ユーザに提示する。これにより、ナビゲーション装置１は、コンテンツの複製操作を容易にさせる。【００５７】
これについて、ナビゲーション装置１が表示部１１により出力する表示画面例を用いて具体的に説明する。以下では、図４及び図５を用いて第１の例を説明した後、図６を用いて第２の例について説明する。後述するように、第２の例は、サブメニューＳＬが利用者Ａと利用者Ｂとの共通性を示す項目からなる点で第１の例と異なる。また、第１の例と第２の例とは、以下に示すように、ユーザの操作方法を変えることで、容易に併用することができる。【００５８】
１．第１の例
図４（ａ）は、第１の例でユーザがコンテンツリストＣＬ１からコンテンツＡｓを選択した際にナビゲーション装置１が出力する表示画面の一例を示す。【００５９】
表示画面２０は、ユーザの押下による入力が可能なタッチパネル方式である。表示画面２０は、第１端末１００から送信されたコンテンツリストＣＬ１のコンテンツリスト表示領域Ｃｔ１を左端に備え、第２端末２００から送信されたコンテンツリストＣＬ２のコンテンツリスト表示領域Ｃｔ２を右端に備える。また、表示画面２０は、コンテンツリスト表示領域Ｃｔ１、Ｃｔ２以外の中央部分に、バッファ領域Ｂｔを備える。また、コンテンツリスト表示領域Ｃｔ１、Ｃｔ２は、縦のスクロール操作等により、それぞれコンテンツリストＣＬ１、ＣＬ２中の全てのコンテンツを表示できるものとする。なお、ナビゲーション装置１は、コンテンツリストＣＬ１中のコンテンツと関連する属性情報Ｉｓを第１端末１００から受信済みであると共に、コンテンツリストＣＬ２中のコンテンツと関連する属性情報Ｉｓを第２端末２００から受信済みであるとする。これに加え、ナビゲーション装置１は、属性情報管理部４により生成した属性情報Ｉｓについても適宜利用するものとする。【００６０】
まず、ユーザは、コンテンツリスト表示領域Ｃｔ１に表示されたコンテンツリストＣＬ１からコピーしたいコンテンツを任意に選択する（ＳＴＥＰ１）。ここでは、一例として、ナビゲーション装置１は、図４（ａ）に示すように二本指のドラッグ操作によるコンテンツの選択を受理するものとする。【００６１】
そして、選択されたコンテンツＡｓが二本指のドラッグ操作によりバッファ領域Ｂｔに移動した場合、ナビゲーション装置１は、コンテンツＡｓの属性情報Ｉｓに基づき、コンテンツＡｓとの関連性を示す項目（関連メニュー）からなるサブメニューＳＬを表示する（ＳＴＥＰ２）。ここで、ナビゲーション装置１は、ユーザからの縦スクロール操作等により、サブメニューＳＬ中の全ての項目を表示可能である。【００６２】
ここで、サブメニューＳＬの具体例について図４（ｂ）及び図４（ｃ）を用いて詳しく説明する。【００６３】
図４（ｂ）は、コンテンツＡｓが楽曲、ＰＶ（Ｐｒｏｍｏｔｉｏｎ  Ｖｉｄｅｏ）その他音楽系であった場合に表示されるサブメニューＳＬの一例を示す。図４（ｂ）のサブメニューＳＬは、「アルバム」、「アーティスト」、「ジャンル」、「録音日」を含む。図４（ｂ）以外にも、サブメニューＳＬは、例えば、「フィーリング（コンテンツの曲調）」、「プレイリスト」、「再生した場所」、「再生した時間帯」、「再生した季節」、「再生したときの交通状況」、「購入したときのショップ」、「走行ルート」などを含んでもよい。【００６４】
図４（ｃ）は、コンテンツＡｓが写真、ＰＶ以外の動画の場合のサブメニューＳＬの一例を示す。図４（ｃ）のサブメニューＳＬは、「撮影日」、「撮影場所」、「被写体人物」を含む。図４（ｃ）以外にも、サブメニューＳＬは、例えば、「撮影者」、「ＴＶ録画」、「映画」、「お笑い」、「カメラ機種」、「走行ルート」、「ＰＯＩ（Ｐｏｉｎｔ  Ｏｆ  Ｉｎｔｅｒｆａｃｅ）」、「含まれている楽曲」などを含んでもよい。【００６５】
ここで、サブメニューＳＬの生成方法の一例について例示する。例えば、ナビゲーション装置１は、属性情報Ｉｓごとに対応するサブメニューＳＬを構成する項目（関連メニュー）を格納したデータベース等を予めメモリに保持しておく。そして、ナビゲーション装置１は、コンテンツＡｓの属性情報Ｉｓから当該データベースを参照してサブメニューＳＬを生成する。【００６６】
次に、サブメニューＳＬの表示後のユーザが実行する操作及びナビゲーション装置１が実行する処理について説明する。ユーザは、サブメニューＳＬから任意の項目（選択項目Ｓｉ）を選択する。例えば、ユーザは、当該項目の表示部分に触れたままサブメニューＳＬから指をずらして表示画面２０から指を離すことにより、選択項目Ｓｉを選択する。そして、ナビゲーション装置１は、選択項目Ｓｉに関連したコンテンツをコンテンツリストＣＬ１から抽出する。具体的には、ナビゲーション装置１は、選択項目Ｓｉに関連するコンテンツを、コンテンツリストＣＬ１中の各コンテンツの属性情報Ｉｓを参照することで検索する。そして、ナビゲーション装置１は、抽出したコンテンツのリスト（以後、「関連コンテンツリストＢＬ」と呼ぶ。）をバッファ領域Ｂｔ上に表示する。これについて、図５を用いて説明する。【００６７】
図５は、選択項目Ｓｉが決定された後の表示画面２０の表示例を示す。図５に示すように、ナビゲーション装置１は、選択項目Ｓｉの決定後、バッファ領域Ｂｔ中に、コンテンツリストＣＬ１から選択項目Ｓｉに基づきコンテンツＡｓに関連したコンテンツを抽出し、関連コンテンツリストＢＬとして表示する（ＳＴＥＰ３）。このようにすることで、ナビゲーション装置１は、コンテンツＡｓに加えて、コンテンツＡｓとユーザが指定した関連性を有するコンテンツをバッファ領域Ｂｔにユーザに提示することができる。なお、関連コンテンツリストＢＬは、縦スクロール操作等により、関連コンテンツリストＢＬ中の全てのコンテンツをユーザが選択可能であるものとする。【００６８】
ここで、図４（ｂ）に示すサブメニューＳＬの例を用いて、関連コンテンツリストＢＬの生成方法について例示する。例えば、ユーザが図４（ｂ）のサブメニューＳＬに含まれる「アルバム」を選択項目Ｓｉとして指定した場合、ナビゲーション装置１は、コンテンツＡｓが属するアルバムに含まれるコンテンツをコンテンツリストＣＬ１から抽出し、関連コンテンツリストＢＬに表示する。ナビゲーション装置１は、上述の抽出処理を、コンテンツリストＣＬ１の各コンテンツに対応づけられた属性情報Ｉｓを参照することで実行する。なお、上述したように、コンテンツリストＣＬ１の各コンテンツに対応づけられた属性情報Ｉｓは、ナビゲーション装置１または第１端末１００等によって自動生成される他、ＵＩ部２、１０２等を介してユーザからの手動入力に基づき生成される。同様に、ユーザが「録音日」を選択項目Ｓｉとして指定した場合、ナビゲーション装置１は、例えばコンテンツＡｓと録音日が同一、もしくは同一の週又は月等に録音されたコンテンツをコンテンツリストＣＬ１から抽出し、関連コンテンツリストＢＬに表示する。【００６９】
次に、再び図５に戻り、ユーザが実行する操作及びナビゲーション装置１が実行する処理について説明する。ユーザは、関連コンテンツリストＢＬから、コピーしたいコンテンツを選択してコンテンツリスト表示領域Ｃｔ２にドラッグすることによりコピーする（ＳＴＥＰ４）。図５の例では、ユーザは、一本指によりコンテンツをドラッグしている。その後、ナビゲーション装置１は、関連コンテンツリストＢＬからコンテンツリスト表示領域Ｃｔ２へ移動されたコンテンツの送信処理を制御する。この処理の一例については、以後の（コンテンツの伝送例）の節で詳しく説明する。【００７０】
このように、ナビゲーション装置１は、サブメニューＳＬを表示しユーザに選択項目Ｓｉを決定させることで、コンテンツＡｓに加えてコンテンツＡｓと選択項目Ｓｉに基づき関連あるコンテンツをユーザに提示することができる。この場合、関連性についてもユーザが選択することができるため、ユーザは複製操作を柔軟に実行することができる。即ち、同じコンテンツを指定した場合であっても、異なる関連性で共通するコンテンツが一覧表示される。以上のように、ナビゲーション装置１は、ユーザがコンテンツＡｓに関連した複数のコンテンツをコピーしたい場合に、そのコピー操作を容易にし、ユーザビリティを向上させることができる。【００７１】
２．第２の例
第２の例では、ナビゲーション装置１は、利用者Ａと利用者Ｂとで相互に関連した項目をサブメニューＳＬに表示する。これにより、ナビゲーション装置１は、さらにユーザのコピー操作を柔軟化させ、コピー操作を容易にさせる。これについて、図６を用いて詳しく説明する。【００７２】
図６（ａ）は、第２の例でユーザがコンテンツリストＣＬ１からコンテンツＡｓを選択した際のナビゲーション装置１の表示画面の一例を示す。【００７３】
まず、ユーザは、コンテンツリスト表示領域Ｃｔ１に表示されたコンテンツリストＣＬ１からコピーしたいコンテンツＡｓを任意に選択する（ＳＴＥＰ１）。ここでは、一例として、ナビゲーション装置１は、第１の例と操作を区別するため、図６（ａ）に示すように三本指のドラッグ操作によるコンテンツの選択を受理するものとする。これにより、ナビゲーション装置１は、ユーザ操作に基づき上述の第１の例と当該第２の例とを明確に区別して処理することができる。【００７４】
そして、選択されたコンテンツＡｓが三本指のドラッグ操作によりバッファ領域Ｂｔに移動した場合、ナビゲーション装置１は、コンテンツＡｓに関連し、かつ利用者Ａ、Ｂの相互に関連した項目（共通関連メニュー）からなるサブメニューＳＬを表示する（ＳＴＥＰ２）。【００７５】
ここで、第２の例に係るサブメニューＳＬの具体例について図６（ｂ）及び図６（ｃ）を用いて詳しく説明する。【００７６】
図６（ｂ）は、コンテンツＡｓが楽曲、ＰＶその他音楽系であった場合に表示されるサブメニューＳＬの一例を示す。図６（ｂ）のサブメニューＳＬは、「共通のお好みアーティスト」、「共通のお好みジャンル」、「一緒に行動した時に聴いたコンテンツ」を含む。図６（ｂ）に示す例以外にも、サブメニューＳＬは、例えば「一緒に聴いたアーティストの関連情報」、「この曲を聴いたときの他の曲」、「この曲を聴いたときの走行ルート」、「この曲を聴いたときの行動履歴」などの共通関連メニューを含んでもよい。【００７７】
図６（ｃ）は、コンテンツＡｓが写真、ＰＶ以外の動画の場合のサブメニューＳＬの一例を示す。図６（ｃ）のサブメニューＳＬは、「一緒に写っているコンテンツ」、「一緒に行動したときのコンテンツ」、「共通の友人、知人が写っているコンテンツ」、「共通趣味のコンテンツ」を含む。図６（ｃ）に示す例以外にも、サブメニューＳＬは、種々の共通関連メニューを含んでもよい。【００７８】
ここで、サブメニューＳＬの生成方法の一例について例示する。例えば、ナビゲーション装置１は、第１の例と同様、属性情報Ｉｓごとに対応するサブメニューＳＬの項目（共通関連メニュー）を格納したデータベース等を予めメモリに保持しておく。そして、ナビゲーション装置１は、コンテンツＡｓに関連する属性情報Ｉｓから当該データベースを参照してサブメニューＳＬを生成する。【００７９】
次に、サブメニューＳＬの表示後のユーザが実行する操作及びナビゲーション装置１が実行する処理について再び図５を用いて説明する。サブメニューＳＬの表示後、ユーザは、サブメニューＳＬから任意の項目を選択する。例えば、ユーザは、当該項目の表示部分に触れたままサブメニューＳＬから指をずらして表示画面２０から指を離すことにより、選択項目Ｓｉを選択する。【００８０】
そして、ナビゲーション装置１は、第１の例と同様、図５に示すように、バッファ領域Ｂｔ中に、コンテンツリストＣＬ１から選択項目Ｓｉに基づき関連するコンテンツを抽出し、関連コンテンツリストＢＬとして表示する（ＳＴＥＰ３）。このようにすることで、ナビゲーション装置１は、コンテンツＡｓに加えて、コンテンツＡｓとユーザが指定した関連性を有するコンテンツをバッファ領域Ｂｔに表示してユーザに提示することができる。【００８１】
ここで、図６（ｂ）及び図６（ｃ）に示すサブメニューＳＬの例を用いて、関連コンテンツリストＢＬの生成方法について例示する。例えば、ユーザが図６（ｂ）のサブメニューＳＬに含まれる「共通のお好みアーティスト」を選択した場合、ナビゲーション装置１は、利用者Ａと利用者Ｂとが共通して気に入っているアーティストが実演するコンテンツをコンテンツリストＣＬ１から抽出し、関連コンテンツリストＢＬに表示する。ナビゲーション装置１は、上述の抽出処理を、コンテンツリストＣＬ１の各コンテンツに対応づけられた属性情報Ｉｓを参照することで実行する。この場合、利用者Ａと利用者Ｂとが共通して気に入っているアーティストであることを示す属性情報Ｉｓは、例えば、ＵＩ部２、１０２等を介してユーザからの手動入力に基づき予め生成され、コンテンツと関連付けられてナビゲーション装置１に記憶されている。【００８２】
同様に、図６（ｃ）のサブメニューＳＬに含まれる「一緒に写っているコンテンツ」をユーザが選択した場合、ナビゲーション装置１は、利用者Ａと利用者Ｂとが一緒に写っているコンテンツをコンテンツリストＣＬ１から抽出し、関連コンテンツリストＢＬに表示する。その他、他の項目を選択した場合であっても、ナビゲーション装置１は、選択項目Ｓｉに基づき関連すると認められるコンテンツを関連コンテンツリストＢＬに表示する。【００８３】
以上のようにすることで、ナビゲーション装置１は、コンテンツを提供する利用者Ａとコンテンツの提供を受ける利用者Ｂとの相互関連性を考慮して、複製して譲渡するコンテンツの候補をユーザに提示することができる。また、第１の例と同様、関連性についてもユーザが選択することができるため、ナビゲーション装置１は、同じコンテンツが指定された場合であっても、異なる関連性で共通するコンテンツを一覧表示できる。このように、ナビゲーション装置１は、ユーザの操作を簡易化すると共に柔軟性を向上させることができる。【００８４】
（コンテンツの伝送例）
次に、複製すべきコンテンツが指定された後のコンテンツ伝送処理の具体例を示す。図７は、コピー操作終了後に実行されるコンテンツ伝送処理を示すシーケンス図の一例である。以後では、パスワードを「ＰＷＤ」と記載する。【００８５】
まず、ナビゲーション装置１は、コピー操作の終了後、第１端末１００へコピー情報を通知する（ステップＳ１）。ここで、コピー情報とは、ユーザが指定した複製し譲渡するコンテンツの識別情報やその他当該コンテンツに関連する情報を指す。そして、第１端末１００は、第１サーバ１５０にＰＷＤ生成の指示を行うと共に、コピー情報を通知する（ステップＳ２）。【００８６】
次に、第１サーバ１５０は、ＰＷＤを生成及び保存すると共に、これに認証を行う際に使用するＵＲＬ（Ｕｎｉｆｏｒｍ  Ｒｅｓｏｕｒｃｅ  Ｌｏｃａｔｏｒ）情報及びコンテンツの存在場所を示すＵＲＩ（Ｕｎｉｆｏｒｍ  Ｒｅｓｏｕｒｃｅ  Ｉｄｅｎｔｉｆｉｅｒ）情報をこれに付加する（ステップＳ３）。ここで、ＰＷＤは、有効時間が定められた１タイムパスワードとする。そして、第１サーバ１５０は、第１端末１００にＰＷＤを通知すると共に、ＵＲＬ情報等を通知する（ステップＳ４）。第１端末１００は、受信したＰＷＤ及びＵＲＬ情報等をナビゲーション装置１へ転送する（ステップＳ５）。次にナビゲーション装置１は、受信したＰＷＤ及びＵＲＬ情報等を第２端末２００へ転送すると共に、自身のＭＡＣ（Ｍｅｄｉａ  Ａｃｃｅｓｓ  Ｃｏｎｔｒｏｌ）アドレス（以後、「ＭＡＣ情報」と呼ぶ。）を第２端末２００へ送信する（ステップＳ６）。そして、第２端末２００は、受信したＰＷＤ及びＵＲＬ情報等並びにＭＡＣ情報を第２サーバ２５０へ転送する（ステップＳ７）。【００８７】
次に、第２サーバ２５０は、受信したＵＲＬ情報を用いて第１サーバ１５０へ接続要求を行う（ステップＳ８）。接続要求を受信した第１サーバ１５０は、ＰＷＤを要求する（ステップＳ９）。そして、第２サーバ２５０は、第１サーバ１５０へＰＷＤを送信する（ステップＳ１０）。ＰＷＤを受信した第１サーバ１５０は、認証処理を行う（ステップＳ１１）。具体的には、第１サーバ１５０は、受信したＰＷＤと自身がステップＳ３で生成したＰＷＤとが一致するか否か確認する。そして、認証処理により正しく認証された場合、第１サーバ１５０と第２サーバ２５０とで接続が確立される（ステップＳ１２）。【００８８】
接続確立後、第２サーバ２５０は、第１サーバ１５０へＵＲＩを利用してコンテンツの取得要求を行うと共に、ＭＡＣ情報を送信する（ステップＳ１３）。そして、これらを受信した第１サーバ１５０は、存在確認のため、ＭＡＣ情報をナビゲーション装置１へ送信する（ステップＳ１４）。ナビゲーション装置１は、受信したＭＡＣ情報に基づき認証を行う（ステップＳ１５）。具体的には、ナビゲーション装置１は、受信したＭＡＣ情報と自身のＭＡＣアドレスとが一致するか否か比較する。そして、ナビゲーション装置１は、認証結果を第１サーバ１５０へ送信する（ステップＳ１６）。そして、第１サーバ１５０は、認証結果が肯定的であった場合、第２サーバ２５０へコンテンツを送信する（ステップＳ１７）。そして、第１サーバ１５０は、コンテンツ送信が完了した後、ステップＳ３で生成したＰＷＤを廃棄する（ステップＳ１８）。【００８９】
以上のようにすることで、セキュリティを担保しつつ、確実にコンテンツの伝送を実行することができる。【００９０】
（処理フロー）
次に、第１実施例に係るナビゲーション装置１の処理手順の具体例について説明する。図８は、ユーザ操作に伴うナビゲーション装置１の処理手順を示すフローチャートの一例である。図８に示すフローチャートは、ナビゲーション装置１が第１端末１００及び第２端末２００と近距離無線通信部５により通信可能な位置に存在する場合に実行される。なお、図８において、実線矢印は処理の流れを示し、破線矢印は操作による入力を表す。【００９１】
まず、ナビゲーション装置１は、第１端末１００及び第２端末２００と通信を確立する（ステップＳ１０１）。そして、ナビゲーション装置１は、第１端末１００と第２端末２００とから、それぞれコンテンツリストＣＬ１、ＣＬ２を取得すると共に、これらのコンテンツに関連する属性情報Ｉｓを取得する（ステップＳ１０２）。なお、上述したように、ナビゲーション装置１は、属性情報管理部４により自ら属性情報Ｉｓを生成及び記憶していてもよい。【００９２】
そして、ステップＳ１０２後、ユーザは任意のタイミングでコピー操作用画面への切替指示を行う（ステップＳ２０１）。例えばユーザは、所定のボタン押下又はタッチパネルの押下等により画面切替を指示する。そして、ナビゲーション装置１は、図４（ａ）等に示すようなコピー操作用画面を表示する（ステップＳ１０３）。【００９３】
そして、ユーザは、任意のタイミングでコンテンツリストＣＬ１から任意にコンテンツＡｓを決定し、バッファ領域Ｂｔへドラッグする（ステップＳ２０２）。これに対し、ナビゲーション装置１は、コンテンツＡｓの属性情報Ｉｓに基づきサブメニューＳＬを表示する（ステップＳ１０４）。【００９４】
次に、ユーザは、表示されたサブメニューＳＬから選択項目Ｓｉを任意に決定する（ステップＳ２０３）。この場合、ナビゲーション装置１は、選択項目Ｓｉに基づきコンテンツＡｓと関連するコンテンツをコンテンツリストＣＬ１から抽出し、バッファ領域Ｂｔにリスト表示する（ステップＳ１０５）。即ち、これにより、バッファ領域Ｂｔに関連コンテンツリストＢＬが表示される。【００９５】
次に、ユーザは、関連コンテンツリストＢＬからコピーしたいコンテンツをコンテンツリストＣＬ２へドラッグする（ステップＳ２０４）。ここで関連コンテンツリストＢＬ中のコンテンツは、ユーザが指定した選択項目Ｓｉに基づき抽出されている。従って、ユーザは、複数の関連するコンテンツのコピー操作を容易に実行することができる。【００９６】
これに対し、ナビゲーション装置１は、コンテンツリストＣＬ２へドラッグされたコンテンツの送信制御を行う（ステップＳ１０６）。具体的には、図７に示すシーケンス図に従い、ステップＳ２０４で指定されたコンテンツが第１サーバ１５０から第２サーバ２５０へ送信される。【００９７】
以上説明したように、本実施例によるナビゲーション装置は、受信手段と、コンテンツリスト表示手段と、第１入力受付手段と、サブメニュー表示手段と、第２入力受付手段と、関連コンテンツ抽出手段と、を備える。受信手段は、第１端末からコンテンツの識別名等からなるコンテンツリストを受信する。コンテンツリスト表示手段は、コンテンツリストを表示する。第１入力受付手段は、タッチパネル方式等により、コンテンツリスト中の任意のコンテンツを指定するためのユーザ入力を受け付ける。サブメニュー表示手段は、コンテンツリストからユーザ入力により指定された指定コンテンツの属性情報に基づき、当該指定コンテンツとの関連性を指定する項目からなるサブメニューを表示する。第２入力受付手段は、ユーザ入力によるサブメニューの項目の指定を受け付ける。関連コンテンツ抽出手段は、指定された項目に基づき、指定コンテンツと関連するコンテンツをコンテンツリストから抽出する。即ち、関連コンテンツ抽出手段は、指定コンテンツと、指定された項目の観点で関連性を有するコンテンツをコンテンツリストから抽出する。そして、その後、複製支援装置は、さらに利用者に抽出したコンテンツから複製するコンテンツを指定させる。このように、複製支援装置は、サブメニューを表示して項目を指定させることで、利用者が指定した関連性に基づき関連するコンテンツを適切に抽出することができる。従って、利用者の複製操作を容易にし、ユーザビリティを向上させることができる。【００９８】
（変形例１）
第１実施例のシステム構成では、ナビゲーション装置１は、広域無線通信部７を備え、第１サーバ１５０及び第２サーバ２５０と通信網３００を介して通信可能に構成されていた。これに代えて、ナビゲーション装置１は、広域無線通信部７を有しなくともよい。【００９９】
これについて図９を用いて説明する。図９は、変形例１に係るコンテンツ複製システムの概略構成の一例である。図９に示すように、ナビゲーション装置１は、第１端末１００と第２端末２００とのみ近距離通信が可能である。この場合、ナビゲーション装置１は、第１端末１００及び第２端末２００から必要に応じてコンテンツリストＣＬ１、ＣＬ２や属性情報Ｉｓの授受を行う。また、コンテンツの伝送時では、上述した（コンテンツの伝送例）と同様、ナビゲーション装置１は、コピー情報を第１端末１００へ送信したり、第１端末１００から転送されたＰＷＤ等の情報を第２端末２００転送する。このように、変形例１にも、好適に本発明を適用することができる。【０１００】
（変形例２）
第１実施例では、第１端末１００と第１サーバ１５０、及び、第２端末２００と第２サーバ２５０とがそれぞれ別の装置によって実現されていた。しかし、本発明が適用可能な構成は、これに限定されない。これに代えて、第１端末１００及び第１サーバ１５０と、第２端末２００及び第２サーバ２５０とがそれぞれ一体の装置により実現されてもよい。【０１０１】
例えば、第１端末１００及び第１サーバ１５０が一体の装置によって実現された場合、第１端末１００はメモリに利用者Ａが保有するコンテンツを記憶する。同様に、例えば、第２端末２００及び第２サーバ２５０が一体の装置によって実現された場合、第２端末２００はメモリに利用者Ｂが保有するコンテンツを記憶する。また、いずれの場合であっても、ナビゲーション装置１は、例えば図８に示すフローチャートに従いコンテンツのコピーを行う。以上のように、変形例２によっても、本発明を好適に実施することができる。【０１０２】
（変形例３）
第１実施例の構成に代えて、ナビゲーション装置１は、利用者Ａ又は／及び利用者Ｂの保有するコンテンツをメモリに記憶してもよい。即ち、ナビゲーション装置１が第１サーバ１５０又は／及び第２サーバ２５０の機能を備えてもよい。【０１０３】
例えば、利用者Ａのコンテンツがナビゲーション装置１のメモリに記憶されている場合、コピー操作後、ナビゲーション装置１は、指定されたコンテンツを当該メモリから取り出して第２サーバ２５０へ送信する。他の例では、利用者Ｂのコンテンツがナビゲーション装置１のメモリに記憶されている場合、コピー操作後、ナビゲーション装置１は、指定されたコンテンツを第１サーバ１５０から受信する。さらに別の例では、利用者Ａ及び利用者Ｂのコンテンツがナビゲーション装置１のメモリに記憶されている場合、コピー操作後、ナビゲーション装置１は、指定されたコンテンツの属性等を利用者Ｂが使用可能になるように変更する。以上のように、変形例３によっても、本発明を好適に実施することができる。【０１０４】
（変形例４）
第１実施例では、コピー操作に係る処理の例として、利用者Ａと利用者Ｂとの相互関連性を加味するか否かに基づき、第１の例と第２の例とをそれぞれ例示した。しかし、本発明が適用可能な方法はこれに限定されない。例えば、これに代えて、または、これに加えて、ナビゲーション装置１は、ユーザ操作に基づき、第１属性Ｉｓ１に関連するサブメニューＳＬまたは第２属性Ｉｓ２に関連するサブメニューＳＬを表示させてもよい。【０１０５】
この場合、例えば、図４（ａ）の表示画面２０でユーザが２本指によりコンテンツＡｓをバッファ領域Ｂｔにドラッグした場合、ナビゲーション装置１は、コンテンツＡｓの第１属性Ｉｓ１に関連するサブメニューＳＬを表示する。他の例では、図４（ａ）の表示画面２０でユーザが３本指によりコンテンツＡｓをバッファ領域Ｂｔにドラッグした場合、ナビゲーション装置１は、コンテンツＡｓの第２属性Ｉｓ２に関連するサブメニューＳＬを表示する。以上のように、変形例４によっても、本発明を好適に実施することができる。【０１０６】
（変形例５）
上述の第１及び第２の例では、ナビゲーション装置１は、バッファ領域Ｂｔに関連コンテンツリストＢＬを表示し、複製したいコンテンツを選択させていた。しかし、本発明が適用可能な方法はこれに限定されない。【０１０７】
これに代えて、ナビゲーション装置１は、例えば表示画面２０に関連コンテンツリストＢＬ中のコンテンツの一括コピーを選択可能なアイコン等を表示し、当該アイコンをユーザが押下することで関連コンテンツリストＢＬ中のコンテンツを一括コピーしてもよい。他の例では、ナビゲーション装置１は、ユーザが決定した選択項目Ｓｉに基づき関連コンテンツリストＢＬを生成後、関連コンテンツリストＢＬ中のコンテンツを自動的に複製制御してもよい。【０１０８】
（変形例６）
第１実施例のコンテンツ複製システムは、ナビゲーション装置１を構成要素とした。これに代えて、コンテンツ複製システムは、表示装置や入力装置を備え、かつ第１端末１００や第２端末２００と通信可能な他の装置（複製支援装置）を構成要素としてもよい。即ち、この場合、ユーザは、複製支援装置が表示する画面に基づきコピー操作を実行する。これによっても、本発明を好適に適用することができる。【０１０９】
［第２実施例］
第２実施例は、自宅にあるレコーダに対し、端末から番組予約を実行するものである。このような場合にも本発明を適用することができる。これについて図１０及び図１１を参照して説明する。【０１１０】
図１０は、第２実施例に係る番組予約システムの概略構成の一例である。図１０（ａ）は、第３端末５００とレコーダ４００とが通信網３００を介して通信する場合を示し、図１０（ｂ）は第３端末５００とレコーダ４００とが直接に近距離無線通信を実行する場合を示す。【０１１１】
第３端末５００は、電波の受信又は通信網３００を介した通信により電子番組表（ＥＰＧ：Ｅｌｅｃｔｒｉｃ  Ｐｒｏｇｒａｍ  Ｇｕｉｄｅ）を受信する。図１０（ａ）及び図１０（ｂ）において、第３端末５００は、通信網３００を介して、又は近距離無線通信によりレコーダ４００へ、ユーザが指定した予約番組の録画を指示する信号（録画指示信号）を送信する。【０１１２】
レコーダ４００は、通信網３００を介して、又は近距離無線通信により、第３端末５００から送信される録画指示信号を受信し、当該録画指示信号に基づき指定された番組を録画する。【０１１３】
次に、図１１を参照し、第２実施例の番組予約に係る処理について説明する。図１１（ａ）は、第２実施例で番組予約を実行する際に第３端末５００が出力する表示画面２１を示す。【０１１４】
図１１（ａ）に示すように、表示画面２１の左端のコンテンツリスト表示領域Ｃｔ１には、複数の番組からなるコンテンツリストＣＬ１（即ち、番組表に相当する。）が表示されている。また、表示画面２１の右端のコンテンツリスト表示領域Ｃｔ２には、既にユーザが指定した予約番組からなるコンテンツリストＣＬ２（即ち、予約リストに相当する。）が表示されている。なお、ここでは、一例として、コンテンツリストＣＬ１は、同一行が同一時間帯の番組を示し、同一列が同一放送局を示す２次元配列とする。また、コンテンツリスト表示領域Ｃｔ１は、縦及び横のスクロール操作等により、コンテンツリストＣＬ１中の全てのコンテンツを表示可能である。【０１１５】
まず、ユーザは、予約したい番組をコンテンツリストＣＬ１からバッファ領域Ｂｔへドラッグする（ＳＴＥＰ１）。ここでは、一例として、ナビゲーション装置１は、図１１（ａ）に示すように二本指のドラッグ操作による番組の選択を受理するものとする。【０１１６】
そして、選択された番組（コンテンツＡｓ）が二本指のドラッグ操作によりバッファ領域Ｂｔに移動した場合、第３端末５００は、コンテンツＡｓとの関連性を指定する項目からなるサブメニューＳＬを表示する（ＳＴＥＰ２）。この場合、属性情報Ｉｓは、ＥＰＧに付加された番組情報の他、第３端末５００がインターネット等を介して取得した情報を含む。図１１（ａ）では、サブメニューＳＬは、一例として、「同じジャンル」、「同じ出演者」、「次回以降」、「同じ場所」を含む。これにより、第３端末５００は、サブメニューＳＬ中の任意の項目をユーザに選択させる。ここで、「次回以降」は、例えば同一又は共通する番組（ドラマ番組等）の続編等が該当し、「同じ場所」は、撮影場所や取材場所等が共通する地域等である場合が該当する。【０１１７】
ここで、サブメニューＳＬの生成方法について例示する。例えば、第３端末５００は、属性情報Ｉｓごとに対応するサブメニューＳＬの項目を格納したデータベース等を予めメモリに記憶しておく。そして、第３端末５００は、コンテンツＡｓに関連する属性情報Ｉｓから当該データベースを参照してサブメニューＳＬを生成する。【０１１８】
そして、ユーザは、サブメニューＳＬから任意の項目を選択する。例えば、ユーザは、当該項目の表示部分に触れたままサブメニューＳＬから指をずらして表示画面２１から指を離すことにより、選択項目Ｓｉを選択する。これにより、第３端末５００は、選択項目Ｓｉに関連した番組をコンテンツリストＣＬ１から抽出し、ユーザに提示することができる。これについて図１１（ｂ）を用いて詳しく説明する。【０１１９】
図１１（ｂ）は、選択項目Ｓｉが決定された後の表示画面２１の表示例を示す。図１１（ｂ）に示すように、第３端末５００は、選択項目Ｓｉの決定後、バッファ領域Ｂｔ中に、コンテンツリストＣＬ１から選択項目Ｓｉに関連したコンテンツ（関連番組）を抽出し、関連コンテンツリストＢＬとして表示する（ＳＴＥＰ３）。このようにすることで、第３端末５００は、コンテンツＡｓに加えて、コンテンツＡｓとユーザが指定した関連性を有するコンテンツ（関連番組）をバッファ領域Ｂｔに表示することができる。【０１２０】
例えば、ユーザがサブメニューＳＬ中の「同じジャンル」を選択した場合、第３端末５００は、コンテンツＡｓが属するジャンル（ニュース、バラエティ等）と同一のジャンルである番組を関連コンテンツリストＢＬに表示する。同様に、ユーザが「同じ出演者」を選択した場合、第３端末５００は、コンテンツＡｓの出演者が出演する番組を関連コンテンツリストＢＬに表示する。【０１２１】
そして、ユーザは、関連コンテンツリストＢＬから、予約したい関連番組を選択してコンテンツリスト表示領域Ｃｔ２にドラッグすることにより番組予約する（ＳＴＥＰ４）。これにより、ドラッグされた関連番組は、コンテンツリストＣＬ２（即ち、予約リスト）に追加される。【０１２２】
その後、第３端末５００は、コンテンツリストＣＬ２を構成する予約番組の録画指示信号をレコーダ４００へ送信する。そして、レコーダ４００は、受信した録画指示信号に基づき、番組を録画する。【０１２３】
このように、第３端末５００は、サブメニューＳＬを表示してユーザに選択項目Ｓｉを決定させ、関連性のある番組を抽出して表示することで、手間のかかる番組予約を簡便化することができる。また、上述の関連性は、ユーザにより選択される。従って、第３端末５００は、ユーザが意図する番組を的確に関連コンテンツリストＢＬに提示し、番組予約の操作を簡易化することができる。【０１２４】
（変形例）
なお、上述した第１実施例の変形例５は、第２実施例にも同様に適用することができる。この場合、第３端末５００は、関連コンテンツリストＢＬの抽出後、関連コンテンツリストＢＬ中の全番組の録画指示信号をレコーダ４００へ送信する。
【符号の説明】
【０１２５】
１  ナビゲーション装置
１００  第１端末
１５０  第１サーバ
２００  第２端末
２５０  第２サーバ
３００  通信網
４００  レコーダ
５００  第３端末
【図１】
0005490793.tif 000002
【図２】
0005490793.tif 000003
【図３】
0005490793.tif 000004
【図４】
0005490793.tif 000005
【図５】
0005490793.tif 000006
【図６】
0005490793.tif 000007
【図７】
0005490793.tif 000008
【図８】
0005490793.tif 000009
【図９】
0005490793.tif 000010
【図１０】
0005490793.tif 000011
【図１１】
0005490793.tif 000012